(57)【特許請求の範囲】
【請求項１】
少なくとも１つの管（２）に連結するための継手（１）であって、該継手（１）は、
前記管（２）を収容するスリーブ（１０）と、
前記スリーブ（１０）と前記管（２）との間にシールを形成する少なくとも１つのシール部材（４）と、
前記スリーブ（１０）と前記管（２）とに圧力を加える圧力部材（５）と、
前記圧力部材（５）上に設けられ、前記管（２）に作用するように配置されたグリッパ歯列（６）と、
前記圧力部材（５）に圧力を加える作動部材（３，７）と、を有しており、前記作動部材（３，７）は、圧力リング（３）を有していて、前記圧力リング（３）は、前記圧力リング（３）と前記圧力部材（５）とのそれぞれ隣接する傾斜した接触面（１１’，１１’’）を介して前記圧力部材（５）に作用し、
前記少なくとも１つのシール部材（４）は、前記圧力部材（５）と前記管（２）との間に位置している、継手（１）において、
前記少なくとも１つのシール部材（４）は、前記圧力部材（５）と前記スリーブ（１０）との間に配置されることなく、前記スリーブ（１０）に接続されている、又は前記スリーブ（１０）に対して押し付けられており、
前記少なくとも１つのシール部材（４）の互いに反対側の端部がそれぞれ、前記圧力部材（５）と前記スリーブ（１０）とに接続されていることを特徴とする、継手（１）。
【請求項２】
少なくとも１つの管（２）に連結するための継手（１）であって、該継手（１）は、
前記管（２）を収容するスリーブ（１０）と、
前記スリーブ（１０）と前記管（２）との間にシールを形成する少なくとも１つのシール部材（４）と、
前記スリーブ（１０）と前記管（２）とに圧力を加える圧力部材（５）と、
前記圧力部材（５）上に設けられ、前記管（２）に作用するように配置されたグリッパ歯列（６）と、
前記圧力部材（５）に圧力を加える作動部材（３，７）と、を有しており、前記作動部材（３，７）は、圧力リング（３）を有していて、前記圧力リング（３）は、前記圧力リング（３）と前記圧力部材（５）とのそれぞれ隣接する傾斜した接触面（１１’，１１’’）を介して前記圧力部材（５）に作用し、
前記少なくとも１つのシール部材（４）は、前記圧力部材（５）と前記管（２）との間に位置している、継手（１）において、
前記少なくとも１つのシール部材（４）は、前記圧力部材（５）と前記スリーブ（１０）との間に配置されることなく、前記スリーブ（１０）に接続されている、又は前記スリーブ（１０）に対して押し付けられており、
前記少なくとも１つのシール部材（４）は、前記圧力リング（３）の傾斜面（１１’）と前記圧力部材（５）の傾斜面（１１’’）との間に配置されることなく、前記スリーブ（１０）に接続されている、又は前記スリーブ（１０）に対して押し付けられていることを特徴とする、継手（１）。
【請求項３】
少なくとも１つの管（２）に連結するための継手（１）であって、該継手（１）は、
前記管（２）を収容するスリーブ（１０）と、
前記スリーブ（１０）と前記管（２）との間にシールを形成する少なくとも１つのシール部材（４）と、
前記スリーブ（１０）と前記管（２）とに圧力を加える圧力部材（５）と、
前記圧力部材（５）上に設けられ、前記管（２）に作用するように配置されたグリッパ歯列（６）と、
前記圧力部材（５）に圧力を加える作動部材（３，７）と、を有しており、前記作動部材（３，７）は、圧力リング（３）を有していて、前記圧力リング（３）は、前記圧力リング（３）と前記圧力部材（５）とのそれぞれ隣接する傾斜した接触面（１１’，１１’’）を介して前記圧力部材（５）に作用し、
前記少なくとも１つのシール部材（４）は、前記圧力部材（５）と前記管（２）との間に位置している、継手（１）において、
前記少なくとも１つのシール部材（４）は、前記圧力部材（５）と前記スリーブ（１０）との間に配置されることなく、前記スリーブ（１０）に接続されている、又は前記スリーブ（１０）に対して押し付けられており、
前記シール部材（４）を前記スリーブ（１０）に取り付けるためのクリップ（１３）を有していることを特徴とする、継手（１）。
【発明の詳細な説明】
【技術分野】
【０００１】
本発明は、少なくとも１つの管に連結するための継手に関する。
【０００２】
欧州特許出願公開第０７９４３７８号明細書には、少なくとも１つの管に連結するための継手であって、該継手は、
前記管を収容するスリーブと、
前記スリーブと前記管との間にシールを形成する少なくとも１つのシール部材と、
前記スリーブと前記管とに圧力を加える圧力部材と、
前記圧力部材上に設けられ、前記管に作用するように配置されたグリッパ歯列と、
前記圧力部材に圧力を加える作動部材と、を有しており、前記作動部材は、圧力リングを有していて、前記圧力リングは、前記圧力リングと前記圧力部材とのそれぞれ隣接する傾斜した接触面を介して前記圧力部材に作用する、継手が開示されている。
【０００３】
欧州特許出願公開第０７９４３７８号明細書の継手では、スリーブと管との間に所要のシールを提供するために、シール部材が、圧力部材と管との間、及び圧力部材とスリーブとの間に配置されている。
【０００４】
請求項１の上位概念に記載の形式の継手はさらに、国際公開第２０１１／１２０６６９号明細書により公知である。
【０００５】
継手の挿入中、継手の作動部材は、５０年以上の使用期間にわたって、スリーブ内に収容される管に作用する軸方向の力に耐えることのできる圧力を加える圧力部材を有するために配置されている。これにより、圧力部材と管との間に位置するシール部材の部分、並びに、圧力部材とスリーブとの間に位置するシール部材の部分の両方に、十分な圧力を提供することができ、前述したように５０年にわたる使用期間中に生じる恐れのある継手の材料の緩和を補償することができる。従って、シール部材、特に圧力部材とスリーブとの間のシール部材の部分に加えられる圧力は、通常はゴムであるシール部材が、管径が３００ｍｍよりも大きい場合には特に、過剰に負荷されるほど高いレベルになってしまう。３００ｍｍより大きな径によっては特に、圧力部材とスリーブとの間のシール部材の部分で必要な予張力は、シール部材が存続し、長期にわたる物理的特性を維持するには、シール部材のゴムに対しては高くなりすぎる。
【０００６】
従って本発明の課題は、この問題に対する解決手段を提供することであり、少なくとも５０年の耐用期間を有する継手であって、その耐用期間中に、シール特性を維持しつつ、管に作用する軸方向の力に耐えることができ、継手が、３００ｍｍよりも大きな径を有する管のために寸法設計されている場合もその耐用期間中の継手の通常の劣化に対処できる継手を提供することである。
【０００７】
本発明によれば、継手は、１つ又は複数の従属請求項の特徴を有している。
【０００８】
何よりもまず、本発明の継手は、前記少なくとも１つのシール部材が、前記圧力部材と前記スリーブとの間に配置されることなく、前記スリーブに接続されている、又は前記スリーブに対して押し付けられているという特徴を有して配置されている。これによりスリーブと管との間の完全に閉じたシールが提供され、本発明の継手のシール特性は、圧力部材によって加えられる圧力とつながりがない。従って、圧力部材によって加えられる圧力のレベルは、圧力部材とスリーブとの間のシールの耐用期間ともはや何の関係もない。
【０００９】
好適な態様では、少なくとも１つのシール部材の互いに反対側の端部がそれぞれ、圧力部材とスリーブとに接続されている。
【００１０】
さらに好適な態様では、前記少なくとも１つのシール部材は、前記圧力リングの傾斜面と前記圧力部材の傾斜面との間に配置されることなく、前記スリーブに接続されている、又は前記スリーブに対して押し付けられている。このことは、本発明の継手の耐用期間向上に貢献する。
【００１１】
特別な態様では、継手が、前記シール部材を前記スリーブに取り付けるためのクリップを有しているのが望ましい。これにより、信頼性を損なうことなく、継手の取り付け及び取り外しが極めて簡単になる。
【００１２】
図面を参照して、以下に本発明をさらに説明する。
【図面の簡単な説明】
【００１３】
【図１】本発明による継手の好適な態様を示す図である。
【００１４】
図面には、管２と共に使用するための本発明の継手１の実施形態が示されている。継手は、管２を収容するスリーブ１０と、スリーブ１０と管２との間にシールを形成するシール部材４と、スリーブ１０と管２とに圧力を加える圧力部材５と、圧力部材５上に設けられ、管２に作用するように配置されたグリッパ歯列６と、作動部材３，７とを有していて、作動部材３，７は、圧力部材５に圧力を加えるように、スリーブ１０の外側の一点から調節可能である。
【００１５】
作動部材３，７は、圧力リング３を有していて、この圧力リング３は、この圧力リング３と圧力部材５とのそれぞれ隣接する傾斜した接触面１１’，１１’’を介して圧力部材５に作用する。これにより、スリーブ１０又は管２のボディ長手方向軸線に平行に圧力部材５に加えられる力が圧力部材５に作用し、この力は、前記スリーブ１０内に収容される管２に作用する、スリーブ１０の前記ボディ長手方向に対して垂直な成分を含んでいる。
【００１６】
本発明によれば、シール部材４が、圧力部材５と管２との間に配置されていて、このシール部材４は、圧力部材５とスリーブ１０との間に配置されることなく、スリーブ１０に接続されている、又はスリーブ１０に対して押し付けられている。
【００１７】
本発明の継手１を特徴付けるさらなる特徴の１つは、前記シール部材４が、圧力リング３の傾斜面１１’と、圧力部材５の傾斜面１１’’に配置されることなく設けられていることである。
【００１８】
さらに、少なくとも１つのシール部材４の互いに反対側の端部がそれぞれ、圧力部材５とスリーブ１０とに接続されていると好適である。
【００１９】
さらに図示したように、本発明の継手１には好適にはさらに、シール部材４をスリーブ１０に取り付けるためのクリップ１３が設けられている。これにより、信頼性を損なうことなく、継手の取り付け及び取り外しが極めて簡単になる。
【００２０】
ここまで、本発明の継手の様々な態様を参照しながら本発明を説明したが、本発明はこれらの特別な態様に限定されるものではなく、本発明を逸脱することなく、さらに様々な形式で変化させることができる。従って、説明した例としての態様は、添付の請求の範囲をその請求の範囲に応じて厳密に解釈するために用いるべきではない。むしろ上記態様は、説明した例としての態様に請求の範囲を限定することなく、添付の請求の範囲の文言を説明することを意図したものである。従って、本発明の保護範囲は、添付の請求の範囲のみに応じて解釈されるものであって、請求の範囲の文言にあり得る曖昧な部分は、例としての態様を使用することで解決されるものである。
【図１】
0006588088.tif 000002